(57)【要約】      （修正有）【課題】主としてハゼ釣りに関するもので、釣り竿を水面に向けて投げ入れると浮き本体は水面に浮かび、その浮き本体の下に位置する中通し錘は道糸に沿って下降して水底に届いて自然に底取りができ、釣り針にアタリがあると水面に浮かんでいる浮き本体が回動して釣り人がこれを視認して釣り竿を引き上げられる魚釣り具を提供する。【解決手段】球形の略中心を通る挿通孔２を有する浮き本体１と、その浮き本体１の挿通孔２の上部における外面１１から突出した突出部３１に設けた回動錘４付きの細管３と、当該突出部３１側から挿通した道糸５の先端に設けた釣り針６と、その釣り針６と浮き本体１の間に配置する中通し錘７を道糸５に移動自由に挿通する。【選択図】図３
0003220824.tif 000002
【実用新案登録請求の範囲】
【請求項１】
球形の略中心を通る挿通孔（２）を有する浮き本体（１）と、その浮き本体（１）の挿通孔（２）の上部外面（１１）から突出した突出部（３１）に設けた回動錘（４）付きの細管（３）と、当該突出部（３１）側から挿通した道糸（５）の先端に設けた釣り針（６）と、その釣り針（６）と浮き本体（１）の間に配置する中通し錘（７）を道糸（５）に移動自由に挿通してなることを特徴とする魚釣り具。
【請求項２】
球形の略中心を通る挿通孔（２）を有する浮き本体（１）と、その浮き本体（１）の挿通孔（２）に細管（３）を挿通して、その浮き本体（１）の上部と下部における外面（１１）から突出した突出部（３１）・（３１）に設けた回動錘（４）・（４）付きの細管（３）とからなり、当該細管（３）に挿通した道糸（５）の先端に設けたハリス（９）と浮き本体（１）との間に配置する中通し錘（７）を釣り糸（５）に移動自由に挿通してなることを特徴とする魚釣り具。
【請求項３】
球形の略中心を通る挿通孔（２）を有する浮き本体（１）と、その浮き本体（１）の挿通孔（２）の上部における浮き本体（１）の上部外面（１１）から突出して上部の突出部（３１）に回動錘（４）を設けると共に下部の突出部（３１）に屈曲部（３２）を形成した細管（３）とからなり、当該細管（３）に挿通した道糸（５）の先端に設けたハリス（９）と浮き本体（１）との間に配置する中通し錘（７）を道糸（５）に移動自由に挿通してなることを特徴とする魚釣り具。
【請求項４】
球形の略中心を通る挿通孔（２）を有する浮き本体（１）と、その浮き本体（１）の挿通孔（２）に細管（３）を挿通して、その上部における浮き本体（１）の上部と下部における外面（１１）から突出した両突出部（３１）・（３１）に設けた回動錘（４）・（４）付きの細管（３）とからなり、当該細管（３）の一方の突出部（３１）に屈曲部（３２）を設け、その細管（３）に挿通した道糸（５）の先端に設けたハリス（９）と浮き本体（１）との間に配置する中通し錘（７）を釣り糸（５）に移動自由に挿通してなることを特徴とする魚釣り具。
【請求項５】
浮き本体（２）の浮力を釣り針側の中通し錘（７）より大きくした請求項１〜請求項４のいずれか記載の魚釣り具。
【請求項６】
浮き本体（１）の内部に設けた挿通孔（２）及び細管（３）にジグザグ形又はＳ字形又はく字形の屈曲部（３２）を形成した請求項１〜請求項５のいずれか記載の魚釣り具。
【考案の詳細な説明】
【技術分野】
【０００１】
本考案は、主としてハゼ釣りに適用する魚釣り具に関するもので、釣り竿を水面に向けて投げ入れると浮き本体は水面に浮かび、その浮き本体の下に位置する中通し錘は道糸に沿って下降して水底に届いて自然にタナ取り（＝底取り）ができ、釣り針のエサに魚がさわったり、エサをくわえたりすること（以下、「アタリ」という。）があると道糸を通して水面に浮かんでいる浮き本体が回動して釣り人がこれを感知して釣り竿を引き上げられるようにすることを目的とする。
【０００２】
一般に、ハゼ釣りにおいて、ハゼの遊泳層を確保するタナ取りのために浮きと道糸先端部の釣り針とのヒロ（１ヒロ：約１．５ｍ）を決めるのが重要になる。この場合、浮きを道糸に結着しているので、タナ取りする水深条件によって浮きより下方の長さ調整をするのが難しい。
【０００３】
特許文献１は、釣り用うきに関し、指標となるトップ、均衡保持用錘、感度調整用錘、環付きまたは中通しの球形または円錐形の浮き本体から構成される。これによって、遠投が可能で、小さい魚信が確認できる。したがって、糸が絡まりにくく、遠投され、波のある極めて悪い状況においても魚信を確認することができる。
【０００４】
特許文献２は、ウキ本体を直線状に貫いて設けられ釣り糸を通す連携孔と、連携孔とウキ本体外部とをウキ本体側部で連通するように通係孔の長手方向中間位置から外部に開放するようにウキ本体を切欠いて設けられた開放溝と、釣竿側となる釣り糸の挿入口の他端側となる糸の出し口で通係孔の長手方向中間位置に設置された糸出し部であり、ウキ本体の浮心より上部に設置され、糸出し部より下方側の糸が、通係孔に沿って直状に係合する状態と、通係孔から離脱して開放溝孔外に移動しつつウキ本体と係合する状態と自在に形成させる糸出し部とを含む構成である。これによって、タナ取り兼用ウキに関し、特に、魚のアタリが多い水底から水面までの深さを釣り竿側から良好な精度で測れるとしている。
【先行技術文献】
【特許文献】
【０００５】
【特許文献１】特開２００５−  ４０１１５号公報
【特許文献２】実用新案登録第３１９２０３３号公報
【考案の概要】
【考案が解決しようとする課題】
【０００６】
上記特許文献１の釣り用浮きにあっては、釣り糸をうき本体の中を移動できるように通すものではなく、うき本体の外側に固定してある点が本考案とは異なる。
【０００７】
上記特許文献２のタナ取り兼用ウキにあっては、中通し孔はウキ本体の途中までであり、釣り糸が途中から外部に引き出す点やアタリが強く引かれるとウキが水中に潜ってしまう点が本考案と異なる。
【課題を解決するための手段】
【０００８】
本考案は上記従来の課題を解決するために提供するものである。本考案の第１は、魚釣り具において、球形の略中心を通る挿通孔を有する浮き本体と、その浮き本体の挿通孔の上部における浮き本体の外面から突出して設けた回動錘付きの細管と、当該細管側から挿通した釣り糸の先端に設けた釣り針と、その釣り針と浮き本体の間に移動自由の中通し錘を釣り糸に挿通してなるものである。
【０００９】
本考案の第２は、魚釣り具において、球形の略中心を通る挿通孔を有する浮き本体と、その浮き本体の挿通孔に細管を挿通して、その上部における浮き本体の上部と下部の外面から突出した突出部に設けた回動錘付きの細管からなり、当該細管側から挿通した釣り糸の先端に設けたハリス上部のサルカンと、浮き本体の間に移動自由の中通し錘を釣り糸に挿通してなるものである。
【００１０】
本考案の第３は、魚釣り具において、球形の略中心を通る挿通孔を有する浮き本体と、その浮き本体の挿通孔の上部における浮き本体の上部と下部の外面から突出して上下部の突出部に回動錘を設けると共に下部の突出部を屈曲した細管とからなり、当該細管側から挿通した釣り糸の先端に設けたハリス上部のサルカンと、浮き本体の間に移動自由の中通し錘を釣り糸に挿通してなるものである。
【００１１】
本考案の第４は、魚釣り具において、球形の略中心を通る挿通孔を有する浮き本体と、その浮き本体の挿通孔に細管を挿通して、その上部における浮き本体の上下両外面から突出した突出部に設けた回動錘付きの細管とからなり、当該細管の一方の突出部に屈曲部を設け、その細管側から挿通した釣り糸の先端に設けたハリス上部のサルカンと、浮き本体の間に移動自由の中通し錘を釣り糸に挿通してなるものである。
【００１２】
本考案の第５は、第1の考案から第４の考案のいずれかに係る魚釣り具において、浮き本体の浮力を釣り針側の中通し錘より大きくしたものである。
【００１３】
本考案の第６は、第1の考案から第５の考案のいずれかに係る魚釣り具において、浮き本体の内部に設けた挿通孔及び細管にジグザグ形又はＳ字形又はく字形の屈曲部を形成したものである。
【考案の効果】
【００１４】
本考案は上記の構成であるから、次のような効果がある。
第１に、道糸に対して浮き本体及び中通し錘が移動自由であるから、釣り針のタナ取りが自然に行える。
第２に、球形の浮き本体が水面で浮きと中通し錘が離れるから、浮き本体は常に水面に定置したままで、中通し錘だけが水中に沈んで適正な底取りやタナ取りができる。
第３に、球形の浮き本体と浮き下の中通し錘が釣り糸に摺動自在に挿通しているので、常に浮き本体と中通し錘が適正位置にセットされ、魚のアタリを楽しめる。
第４に、中通し錘を水底に沿って引きずりながら底釣りが基本といわれるハゼの釣果が大いに期待できる。
第５に、リールを付けない延べ竿でも、リール付きの竿でも種類を問わず利用できる。
第６に、いわゆるチョイ投げによる釣りに好適である。
第７に、ハゼ釣りにおけるチョイ投げのほか、ミャク釣りにも適用できる。
第８に、浮き本体と釣り針・底釣りの仕掛けまでの距離調整が誰でも簡単できるから釣りの初心者でも取り扱いが容易簡単であり持ち運びに便利である。
第９に、浮き本体の内部に設けた挿通孔及び細管にジグザグ形又はＳ字形又はく字形の屈曲部を形成したことにより、細管に挿通する道糸を緊張したときに相当の抵抗を与えるから、釣竿を使って水面に投げ入れたときに波や風によって浮き本体が必要以上に浮き下方向に移動することを防止できる。
【図面の簡単な説明】
【００１５】
【図１】本考案に係る魚釣り具の側面図である。
【図２】図１の魚釣り具の浮き本体を水面に向けて投げ入れた状態を示す側面図である。
【図３】図２の水面に定置した浮き本体の挿通孔を通った釣り糸を引張して釣り針が水中に停止している状態を示す側面図である。
【図４】図３の状態から道糸を緩めて浮き本体を回動して釣り針を水中に停止すると共に浮き本体と一体の回動錘付き突出部が下向きになっている状態を示す側面図である。
【図５】図３の状態から道糸を緩めて釣り針が中通し錘の重力で下降して水底に届いてタナ取りをすると共に、浮き本体と一体の回動錘付き突出部が下向きになった状態を示す側面図である。
【図６】図５の状態から釣り竿を操ってタナ取りの中通し錘を引きずって斜面水底に移動した状態の側面図である。
【図７】図６からアタリがあって釣り竿を操作して道糸を引張した状態を示す側面図である。
【図８】図１から図７の浮き本体の細管下部突出部に屈曲部を設けた拡大断面図である。
【図９】図３の浮き本体の上部と下部の両外面に突出した細管に水平浮遊錘を設けて水面に定置した浮き本体の挿通孔を通った道糸を引張して釣り針を水中に停止した状態を示す側面図である。
【図１０】道糸を緩めて浮き本体の挿通孔に通した水平浮遊錘付き細管が水面に定置して中通し錘が自重で下降して水底に届いてタナ取りした状態を示す側面図である。
【図１１】中通し錘を引きずって水底の斜面に移動してアタリがあって釣り竿を操作して道糸を引張した状態を示す側面図である。
【図１２】図７から図１１の浮き本体の細管下部突出部に屈曲部を設けた拡大断面図である。
【図１３】浮き本体内部の挿通孔及び細管に屈曲部を設けた拡大断面図である。
【考案を実施するための形態】
【００１６】
本考案は上記の構成において実施する形態は次のとおりである。
球形の略中心すなわち直径方向にあけた挿通孔を有する浮き本体と、その浮き本体の挿通孔に通して上部を浮き本体の外面から突出して回動錘付きの突出部を設けた細管と、当該細管側から挿通した道糸及びその釣り糸の先端に設けたハリスと、ハリス先端の釣り針と、ハリス上部のサルカンと浮き本体の間に配置する中通し錘を道糸に移動自由に挿通し、道糸を水面に投げ入れたときに浮き本体は常に水面に浮かぶが、中通し錘がその重力で下降して水底に届く。一方、浮き本体は回動錘の重力で略１８０度回動して道糸は必要以上には下降しない。
【００１７】
そして、水底において、アタリがあると、球形の浮き本体が回動し、これを釣り人が視認して釣竿を引き上げて魚を釣り上げる。
【００１８】
また、道糸を引張したときにこれに挿通している浮き本体を細管の屈曲部によって道糸に挿通する移動に抵抗力を与え、釣り針側の中通し錘に対して浮き本体の比重を軽くし又は重くするものに交換できるようにしてある。
【実施例】
【００１９】
次に、本考案に係る魚釣り具の実施例を説明する。
１は球形の浮き本体であり、その材質は、浮力が比較的大きいものであれば限定はないが、発泡スチロールを可とする。また、当該浮き本体には、アタリによる球形の回動変化を視認し易くするために、黄色や青色又は赤色等の好みの着色を施すことを可とする。
【００２０】
２は球形の浮き本体１の直径方向にあけた挿通孔、３は挿通孔２に通した道糸が通る程度の細径の細管であり、その上部を浮き本体１の外面１１から突出した突出部３１を設けてある。４は突出部３１に設けた回動錘を示す。当該回動錘４を設けた突出部３１と対向する側の突出部３１に道糸５の挿通する浮き本体１の移動に抵抗を与えるための屈曲部３２（図８及び図１２）を形成してある。
【００２１】
５は細管３に挿通した道糸であり、基端を釣り竿に接続し、先端部をハリスの上部に位置するサルカンに接続してある。６は道糸５の先端に取り付けた釣り針、７は浮き本体１と釣り針６の中間に配置し、且つ、道糸５に移動自由に挿通した中通し錘、８は中通し錘７の道糸通し孔、９はハリスであり、その上部と道糸５の先端部とをサルカン９１で結合している。前記のハリス９は、道糸５に結んでおく釣り糸のことである。また、サルカン９１は、仕掛けに用いられる小型の連結金具のことである。上記の道糸５に挿通孔８を介して移動自由に通した中通し錘７は、道糸先端部のサルカン９１の位置で移動が止まるようになっている。１０は道糸５の基部を接続してある釣り竿である。１１は水面、１２は水底、１３は水底の斜面である。
【００２２】
[具体的な組み立て]
釣り竿１０の先端に繋いである道糸５に浮き本体１と中通し錘７を移動自由に挿通し、且つ道糸５の先端にハリス９を接続し、先端に釣り針６を付けてある（図１）。
【００２３】
[具体的な使用例]
図１の釣り竿１０を使って釣り人が水面１１に向かってチョイ投げ等で仕掛けとなる道糸５の先端部を投げ入れると、浮き本体１と中通し錘７が一体となって水面１１に到達する（図２）。
【００２４】
浮き本体１は水面１１に常に浮いているが、中通し錘７は自重で道糸５に沿って下降し始める。この状態で釣り竿１０を引き上げて道糸５を引張すると、細管突出部３１の屈曲部３２の接触による抵抗と相まって、中通し錘７の重量に拘わらず釣り針６は水中に停止して宙吊り状態を保持する（図３）。
【００２５】
図３の状態で道糸５を緩めると、浮き本体１は回動錘４の重量で略１８０度回動して細管突出部３１が下向きになる。この状態において、釣り針６は中通し錘７の重量であっても釣り針６は水中に宙吊り状態を保持する（図４）。
【００２６】
図３の状態で道糸５を繰り出していくと、中通し錘７が下降して水底１２に届き、通常用いられる仕掛けとしての天秤錘の役割を果たして定置すると、水面１１に浮いている浮き本体１の細管突出部３１が回動錘４の重量によって水中で下向きになっている（図５）。
【００２７】
図５の状態で釣り竿１０を引き寄せる等して水底１２の中通し錘７を引きずって水底の斜面１３に移動した所でアタリがあると水面１１に浮いている浮き本体１が回動する。アタリが強いとその回動による変化が大きくなる（図６）。
【００２８】
図６の餌の付いている釣り針６にアタリがあると、道糸５を通して浮き本体１が回動するから釣り人は釣り竿を介して直ぐに感触が得られると共に、ウキ本体の回動変化を視認できる。そして、ハゼが釣り針を強く引くと道糸５が引張し、釣り竿１０を引くと浮き本体１が略１８０度回動し、下向きになっていた回動錘４付きの突出部３１が上向きになり、釣り竿１０を引き上げてハゼを釣り上げる（図７）。
【００２９】
図８において、中通し錘７の重量が軽すぎると図４の状態において、水中における下降が緩やかになり、水底１２に届く時間が掛かる。この場合、回動錘４が重すぎると浮き本体１は水中に沈む度合いが大きくなる。また、浮き本体１を水面１１に投げ入れたときに、風や水の流れで浮き本体1が細管３に挿通している道糸５に沿って釣り針６側に必要以上に移動するのを細管突出部３１の先の屈曲部３２で阻止している。
【００３０】
一方、中通し錘７の重量が重ければ重いほど水中における下降が速くなり、水底１２に届く時間が短縮する。
【００３１】
そこで、中通し錘７及び釣り針６を水中で停止状態にする場合は、中通し錘７を軽く（例えば、１号）し、回動錘４を中通し錘７より重く（例えば、１．５号または２号）し、且つ、浮き本体１の浮力を大きくすることにより、釣り針６が水中において宙吊り状態でハゼ釣りすることができる。
【００３２】
図９は、釣り竿１０を使って釣り人が水面１１に向かってチョイ投げ等で仕掛けとなる道糸５の先端部を投げ入れると、細管３の上下部の水平浮遊錘４′・４′付きの突出部３１・３１を有する浮き本体１が水面１１に浮かび、上下部突出部３１・３１は水面１１に沿って水平を保持する。そして、道糸５を引張して釣り針６は中通し錘７の重量で水中に停止している状態である。この場合、道糸５を緩めて宙吊り状態を保持するときは、中通し錘７の重量を軽いものを用いる。
【００３３】
図１０は、道糸５緩めて図９の状態から中通し錘７が、その重量で下降を続けて水底１２に到達する。これによってタナ取りができる。
【００３４】
図９の状態から、浮き本体１が水面１１に浮かんだ状態で釣り糸５を緩めると、浮き本体１は球形外面１１両側の水平浮遊錘４′・４′を設けた突出部３１・３１が略水平に水面１１に定置する。この状態で道糸５の引張を緩めると、中通し錘７はその重量で水深分だけ下降して水底１２に到達してタナ取りができる（図１０）。
【００３５】
図１１は、図１０の状態から、釣り竿１０を操って中通し錘７を引きずりながら水底の斜面１３に移動してハゼのアタリがあり、水面に浮かぶ浮き本体１は略水平状態で搖動して、これを釣り人が視認する。そして、ハゼの強い引きがあると、道糸を通し、釣り竿１０を介してアタリの感触を得ると共に、浮き本体１が揺れてその動きを視認し、且つ強い引きがあると浮き本体１の水平浮遊錘４′・４′付きの突出部３１・３１が縦方向に向きながら水中に引き込まれ、その振動が釣り竿１０に伝わる。そして、釣り竿１０を引き上げてハゼを釣り上げる。
【００３６】
図１２において、中通し錘７の重量が軽いと図９の状態において、水中における下降が緩やかになり、水底１２に届く時間がかかる。一方、中通し錘７の重量が重ければ重いほど水中における下降が早くなり、水底１２に届く時間が短縮する。また、浮き本体１を水面１１に投げ入れたときに、風や水の流れで浮き本体1が細管３に挿通している道糸５に沿って釣り針６側に必要以上に移動するのを細管突出部３１の先に設けた屈曲部３２で制限している。
【００３７】
図１３は、挿通孔２の屈曲部２１を浮き本体１の内部に形成したものを示し、図示例はいわゆるジグザグ形を示すが、他にＳ字形又は形など道糸５の細管内挿通に強い抵抗を与えることに有効である。
【００３８】
上記の浮き本体１の挿通孔２に屈曲凹溝部２１を形成するためには、一例として、浮き本体１を略真ん中から二つ割りにし、その割った一方の面又は対向面にジグザグ形又はＳ字又はく字形に屈曲した凹溝を成形し、その凹溝に合わせて屈曲した細管３を屈曲凹溝部２１にはめ込んで二つ割りした浮き本体１を重ね合わせて接着した細管の屈曲部３２付きの浮き本体１を製作する。
【００３９】
また、上記のほか、図示は省略したが、球形成形型の中に屈曲部３２を有する細管３をセットしておき、発泡スチロール材で発泡成形して内部にジグザグ形の屈曲部付き細管３を埋設する構成の浮き本体を得ることもできる。
【００４０】
これによって、釣り竿１０をチョイ投げ等によって、釣り針６を水面１１に投げ入れた後、道糸５に挿通する浮き本体１が水の流れによって当該道糸５に沿って釣り針側に移動して行くのを浮き本体内部の細管３の屈曲部３２の抵抗によって移動を制限することができる。
【００４１】
次に、中通し錘７及び釣り針６を水中で停止状態にする場合は、中通し錘７を軽くし（例えば、０．５号）、水平浮遊錘４′を中通し錘７より重くし（例えば、１号）、且つ、浮き本体１の浮力を大きくすることにより、釣り針６を水中において宙吊り状態でハゼ釣りすることができる。
【００４２】
一方、中通し錘７の重量が水平浮遊錘４′の重量（例えば０．５号）より重ければ重いほど（例えば、２号）水中における下降が早くなり、水底１２に届く時間が短縮する。
【００４３】
なお、図１２の浮き本体１の水平浮錘４′・４′と中通し錘７の重量の割合として、浮き本体１の浮力を大きくすると、中通し錘７が水平浮遊錘４′・４′より重量が重くても浮き本体１が水中に潜るようなことは防ぐことができる。
【産業上の利用可能性】
【００４４】
本考案は、ハゼ釣りにおけるチョイ投げの釣りのほか、ミャク釣りその他ハゼと同じくらいの魚釣りに適し、用途の拡大が図れる。
【符号の説明】
【００４５】
１…浮き本体
２…細管の挿通孔
２１…挿通孔の屈曲凹溝部
３…細管
３１…細管の突出部
３２…細管の屈曲部
４…回動錘
４′…水平浮遊錘
５…道糸
６…釣り針
７…中通し錘
８…中通し錘の挿通孔
９…ハリス
９１…サルカン
１０…釣り竿
１１…水面
１２…水底
１３…水底の斜面
【図１】
0003220824.tif 000003
【図２】
0003220824.tif 000004
【図３】
0003220824.tif 000005
【図４】
0003220824.tif 000006
【図５】
0003220824.tif 000007
【図６】
0003220824.tif 000008
【図７】
0003220824.tif 000009
【図８】
0003220824.tif 000010
【図９】
0003220824.tif 000011
【図１０】
0003220824.tif 000012
【図１１】
0003220824.tif 000013
【図１２】
0003220824.tif 000014
【図１３】
0003220824.tif 000015